(57)【要約】      （修正有）【課題】治療装置本体部に対する治療器具の配置位置を自由かつ簡便に設定できるようにすると共に、扱いやすく、簡素で廉価な構成にする。【解決手段】各種治療器具がジョイントホースを介して着脱自在に構成された歯科治療装置において、各種治療器具と、該治療器具に対応して必要な作動媒体のみを供給する供給回路を内蔵すると共に一端に該治療器具を接続する接続端子を有し他端に治療装置本体部７に接続する接続端子を有する各種ジョイントホースと、任意の位置に配置された前記治療器具に対して各種作動媒体の供給を選択的に設定して該治療器具の作動に必要な作動媒体のみを供給する作動媒体供給設定手段６と、作動媒体供給制御部２０と、前記各種治療器具のいずれにも対応して各種作動媒体を供給しうる供給回路と、前記作動媒体供給設定手段６を読み取る読取手段８とを備え、任意の位置に配置された治療器具に対して必要な作業媒体のみを選択供給する。【選択図】図９
2011161027.tif 000002
【特許請求の範囲】
【請求項１】
電気、水、空気等を媒体として作動する各種治療器具がジョイントホースを介してドクターテーブルとインスツルメントハンガとからなる治療装置本体部に着脱自在に構成された歯科治療装置において、
各種治療器具と、
該治療器具に対応して必要な作動媒体のみを供給する供給回路を内蔵すると共に一端に該治療器具を接続する接続端子を有し他端に前記治療装置本体部に接続する接続端子を有する各種ジョイントホースと、
任意の位置に配置された前記治療器具に対して各種作動媒体の供給を選択的に設定して該治療器具の作動に必要な作動媒体のみを供給する作動媒体供給設定手段と、
作動媒体供給制御部と、
前記各種治療器具のいずれにも対応して各種作動媒体を供給しうる供給回路と、
前記作動媒体供給設定手段を読み取る読取手段とを備え、
前記作動媒体供給設定手段を前記読取手段にて認識することにより任意の位置に配置された治療器具に対して必要な作業媒体のみを選択供給することを特徴とする歯科治療装置。
【請求項２】
前記作動媒体供給設定手段は、前記読取手段に挿脱可能な施錠型もしくはカード型であることを特徴とする請求項１記載の歯科治療装置。
【請求項３】
前記作動媒体供給設定手段は、前記読取手段が治療装置本体部と一体構成されたダイヤル型であることを特徴とする請求項１記載の歯科治療装置。
【請求項４】
前記作動媒体供給設定手段を読み取る読取手段は、ドクターテーブルの前面または近傍に設けたことを特徴とする請求項１、２または３記載の歯科治療装置。
【請求項５】
前記作動媒体供給設定手段を読み取る読取手段は、インスツルメントハンガの前面またはその近傍に設けたことを特徴とする請求項１，２，３または４記載の歯科治療装置。
【請求項６】
前記作動媒体供給設定手段は、治療器具とジョイントホースとを接続する接続端子に設けたことを特徴とする請求項１記載の歯科治療装置。
【請求項７】
前記読取手段は、非接触型センサまたは接触型センサから成ることを特徴とする請求項１から６のいずれかに記載の歯科治療装置。
【発明の詳細な説明】
【技術分野】
【０００１】
本発明は、電気、水、空気等を媒体として作動する各種治療器具がジョイントホースを介して治療装置本体に着脱自在に構成された歯科治療装置に関する。
【背景技術】
【０００２】
従来から用いられている歯科治療器具にはハンドピース、マイクロモータ、超音波スケーラなどがある。そしてこれらの治療器具には可撓性ジョイントホースの一端が接続端子を介して着脱自在に接続され、他端が接続端子を介して治療装置本体部に着脱自在に接続されている。またこの治療器具は、常時は治療装置本体部のインスツルメントハンガに掛止されており、使用時には術者がその種類を選択してインスツルメントハンガから取り上げ、治療装置本体部側から供給される電気、水、空気等の作動媒体にて作動させつつ治療を行うものである。
【０００３】
しかるに、前記治療器具は治療装置本体部にできるだけ多くの種類のものを装備しておき、これらの治療器具を自由に選択しながら治療できることが望ましいが、多くの治療器具を装備することにより治療装置本体部側の広範囲から多くのジョイントホースが導出されることになり、ジョイントホース同士が絡まって診療の妨げになるという問題がある。このために従来から治療装置本体部に対して治療に必要な最小限の種類の治療器具を、ジョイントホースを介して着脱自在に装備することができるように考慮された装置が既に開発されている。またこの従来の歯科治療装置としては、例えば特許文献１，２，３に示される技術が公知である。
【０００４】
特許文献１の発明は、治療装置本体に対して、特定の作動媒体を供給し、例えば作動媒体として電源のみの供給、あるいは電源、水、空気等、複数種を供給するために供給する作動媒体の種類別に共通化した専用通電接続端子を設け、この専用通電接続端子に対応した治療器具を、マルチジョイントホースを介して着脱自在に接続することができるようにしたもので、接続端子には接続する治療器具の種類を判別する端子が含まれており、これにより治療器具の種類を自動的に判別し、その種類に対応した必要な作動媒体を自動的に供給することができるように構成されていることを特徴としている。
【０００５】
特許文献２の発明は、治療装置本体側の接続具群および治療器具側の接続具群それぞれが構造的に同一に構成され、かつ取り外し容易な連結手段にて互いに連結しうる構成の歯科装置用制御装置として提案されたものである。詳述すれば、この装置は治療装置本体と、電流、水のような作動媒体の供給導管を有するものであり、それぞれの供給導管には治療器具が接続具を介して接続されている。接続された治療器具は治療装置本体側の複数の鈎部に係脱自在に掛けられ、対応する接続具の連結要素が互いに接続された状態で治療装置本体から治療器具へ作動媒体が供給されうる状態になる制御装置において、治療装置本体側の接続具が治療装置本体外から近接容易な箇所に配置されており、治療装置本体側の接続具群および治療器具側の接続具群それぞれが構造的に同一に構成され、かつ取り外し容易な連結手段により連結され、治療器具側の接続具が治療装置本体側の接続具に任意の組み合わせで接続されうるように全ての治療器具の作動媒体を考慮に入れて計画された位置に接続具内の個々の作業媒体に対する連結要素が配置されている。また治療装置本体側の接続具の一つへの治療器具接続具の接続時に当該接続具に対応付けられている作動媒体に対する制御機構をスイッチONにするための信号を評価する電子回路に与えるべく機械的に共同作用するコーディング手段が接続具内に含まれていることを特徴としている。
【０００６】
特許文献３の発明は、本願の発明者が先に発明したものである。この発明は電気、水、空気を媒体として作動する各種治療器具が、マルチジョイントホースを介して治療装置本体に着脱自在に構成された歯科治療装置本体において、治療器具の種類に対応して必要な作動媒体のみを供給する供給回路を内蔵すると共に一端に治療器具に接続する接続端子を有し、他端に治療装置本体側に接続する接続端子を有する各種マルチジョイントホースには、ホース側の接続端子と治療装置本体側の接続端子との接続部に治療器具の種類を検知しうる光反射型センサまたは光透過型センサからなる非接触型センサ部が設けられている。一方、治療装置本体には液晶表示画面およびパネルスイッチが設けられており、パネルスイッチの操作により治療器具の配置位置や作動媒体の選択および供給等の環境設定を可能に構成されている。また所定の種類以外の治療器具が接続された際には誤接続されたことを検出して警告する警告表示および／または警告音にて知らせる警報装置を備えていることを特徴としている。
【０００７】
即ち、前記従来の例はいずれも治療装置本体部に接続された治療器具の種類が治療装置本体部側にて自動的に検出され、その治療器具に必要な作動媒体が自動的に供給される構成になっているか、または自動的に検出され、所定の種類以外の治療器具が接続された際に誤接続を検出して警告表示および／または警告音にて知らせる構成になっている。
【０００８】
しかしながら、前記特許文献１の発明は、マルチジョイント継手部がマルチジョイントを実現する継手部とマルチジョイントホースとが一体的に扱われ、マルチジョイントホース自体にも、着脱可能に装着されるそれぞれの治療器具に共通して対応できるように種々の電気配線および空気、水などの管路を備える必要があるために、マルチジョイントホースが太くて重くなり、治療がしにくいという問題がある。
【０００９】
前記特許文献２の発明は、治療装置本体側の接続具群および治療器具側の接続具群それぞれが構造的に同一であり、かつ取り外しが容易な連結手段により互いに連結が可能であり、各種治療器具の識別のためのコーディング手段が例示されているが、コーディング手段の接続端子分だけ継手部が大きくならざるを得ないという問題がある。
【００１０】
前記特許文献3の発明は、治療器具の種類に対応して必要な作動媒体のみを供給する供給回路を内蔵すると共に一端に治療器具に接続する接続端子を有し、他端に治療装置本体に接続する接続端子を有する各種マルチジョイントホースが例示され、治療装置本体側に接続する接続端子として、光反射型センサおよび光透過型センサを例として各々の識別部材が説明されているが、接続端子部分に識別部材を設けることで接続部がその分だけ大きくならざるを得ないという問題がある。
【００１１】
また、何れにしても、治療器具に接続するマルチジョイントホースは、導管内の水分に細菌が繁殖するために、常に導管内を滅菌しておく必要がある。従って滅菌のためには使用前に導管内の水を排出し、または薬液洗浄を行い、あるいはホースの外面に付着した切削粉や体液を無水アルコール等にて拭き取り、またはオートクレープ（高圧蒸気滅菌）を施すなどが一般的に行われている。
【００１２】
また、このように滅菌処理を施すと電気的接点が劣化するために治療器具の種類を自動認識する形式の装置では誤作動が生じる原因となる。さらにホースは250回前後の滅菌処理にて使用不能になるので新しいものと取り替える必要が生じる。このためにマルチジョイントホースは、滅菌を程々にして使い捨てにすることが望ましいが、使い捨てにするためにはホースが廉価でなければならない。この点において前記従来の治療器具に用いられるマルチジョイントホースは、治療器具の種類を自動認識するための手段が内蔵されているために高価なものとなり使い捨てしにくいという問題がある。
【００１３】
因みに、出願人が現在扱っている治療装置は、治療装置本体に対する治療器具の配置が予め基板上にて設定されているもので、治療現場にて術者が勝手に治療器具の配置替えができないものである。また前記特許文献3の技術は権利化したものの、一昨年来のリーマンショックに端を発する100年に一度といわれる経済恐慌の影響でユーザの購買意欲が低下し、特許に係る改良製品であっても識別部材のコストが受け入れられない状況である。よって更なる安価かつ簡便な方法での治療器具の配置換えができる改善が望まれることになった。
【先行技術文献】
【特許文献】
【００１４】
【特許文献１】特開２００１−１７８７５３号公報
【特許文献２】特公平３−３４３４５号公報
【特許文献３】特許第４０３７６５０号公報
【発明の概要】
【発明が解決しようとする課題】
【００１５】
解決しようとする問題点は、前記従来の問題点に鑑みて、治療装置本体に対する治療器具の配置位置を自由に設定できる歯科治療装置を簡素な構成にて廉価に提供することである。
【課題を解決するための手段】
【００１６】
電気、水、空気等を媒体として作動する各種治療器具がジョイントホースを介してドクターテーブルとインスツルメントハンガとからなる治療装置本体部に着脱自在に構成された歯科治療装置において、各種治療器具と、該治療器具に対応して必要な作動媒体のみを供給する供給回路を内蔵すると共に一端に該治療器具を接続する接続端子を有し他端に治療装置本体部に接続する接続端子を有する各種ジョイントホースと、任意の位置に配置された前記治療器具に対して各種作動媒体の供給を選択的に設定して該治療器具の作動に必要な作動媒体のみを供給する作動媒体供給設定手段と、作動媒体供給制御部と、前記各種治療器具のいずれにも対応して各種作動媒体を供給しうる供給回路と、前記作動媒体供給設定手段を読み取る読取手段とを備え、作動媒体供給設定手段を読取手段にて認識することにより任意の位置に配置された治療器具に対して必要な作業媒体のみを選択供給することを特徴とするものである。
【００１７】
また、前記作動媒体供給設定手段は、施錠型またはカード型に構成するか、または治療器具とジョイントホースとを接続する接続端子に設けると共に、これを読み取る読取手段は、接触型センサ、あるいは光反射型センサまたは光透過型センサからなる非接触型からなり、治療装置本体部の前面あるいは治療装置本体部の近傍に設ける。更に前記作動媒体供給設定手段は、治療装置本体部と一体的に構成し、ダイヤル式で設定を切り替えることもできることを特徴とする。
【発明の効果】
【００１８】
本発明の歯科治療装置は、作動媒体供給設定手段を設けると共に、作動媒体供給設定手段を読み取る読取手段を設けたことにより治療装置本体部に対して各種治療器具の配置位置を任意に設定することができ、かつ通常ドクターテーブルの上面を覆うように設けられているカバーを開けることなく術者の好みの位置に治療器具を設置することができるので術者の負担が軽減される。また作動媒体供給設定手段により治療器具の種類に対応して必要な作動媒体のみを供給することができるので治療器具を接続するジョイントホースは治療器具の種類に対応して必要な作動媒体のみを供給する供給回路のみを内蔵すればよく、簡素かつ廉価な構成にすることができる。
【００１９】
作動媒体供給設定手段を読み取る読取手段は、治療装置本体部またはその前面、もしくはその近傍に設けられているので作動媒体供給設定手段とインスツルメントホースとが対であることが目視でき、誤接続を防止することができる。更に作動媒体供給設定手段は挿脱可能な施錠型あるいはカード型に構成し、または読取手段と一体的に構成してダイヤル式切り替え方式にすることもできる。また作動媒体供給設定手段を治療器具とジョイントホースとを接続する接続端子に設けるなどにより誤接続を防止することができるので治療器具を任意の位置に設置することが容易になる。更に、治療装置本体部またはその前面もしくはその近傍に配置して治療器具の種類を検知する読取手段に、接触型センサあるいは、光反射型センサもしくは光透過型センサからなる非接触型センサを設けることにより、これらのセンサから伝達される検知信号にて接続の正誤判断が可能になるという利点がある。
【図面の簡単な説明】
【００２０】
【図１】はインスツルメントハンガの近傍に読取手段を設けた斜視図である。
【図２】は治療器具とジョイントホースとの接続を示す斜視図である。
【図３】（a）（b）は作動媒体供給設定手段のダイヤルタイプ（非接触型）の斜視図、（c）は同裏面側を示す図、（d）は同側面図である。
【図４】（a）は作動媒体供給設定手段のキータイプ（施錠型）の側面図、（b）は治療装置本体部に同手段を取り付けた側面図、（c）は同正面図、（d）（e）は同斜視図である。
【図５】（a）は作動媒体供給設定手段のダイヤルタイプ（シリンダ錠型）接触型センサを治療装置本体部に取り付けた側面図、（b）（c）は同斜視図を示す図である。
【図６】インスツルメントハンガの前面に読取手段を設けた例の図である。
【図７】ドクターテーブル前面に読取手段を設けた例の図である。
【図８】ドクターテーブルの近傍に読取手段を設けた例の図である。
【図９】は作動媒体の供給回路を示す図である。
【発明を実施するための形態】
【００２１】
治療装置本体部に対する治療器具の配置位置を自由かつ簡便に設定できるようにすると共に、扱いやすく、簡素で廉価な構成にするという目的を、作動媒体供給設定手段を施錠型もしくはカード型とし、もしくは治療装置本体部に一体的に設け、かつ作動媒体供給設定手段の読取手段を設けたことにより僅かな費用で実現した。
【実施例】
【００２２】
本発明の実施例は、電気、水、空気等を媒体として作動する各種治療器具がジョイントホースを介してドクターテーブルとインスツルメントハンガとからなる治療装置本体部に着脱自在に構成された歯科治療装置において、図1に示すようにインスツルメントハンガ1の前面に設けられたインスツルメント保持部2に対して図2に示すような各種治療器具3が掛止され、治療器具3とジョイントホース4との間およびジョイントホース4と治療装置本体部との間それぞれが接続端子5を介して接続されている。そしてそれぞれの接続端子5には、接続された治療器具3の種類に対応して治療器具3を作動させるための電気、水、空気等の必要な作動媒体のみを治療装置本体側から供給しうる最小限の図示しない供給回路が内蔵されている。更にこの接続端子5には治療器具3の種類を識別する後述の識別手段9が設けられている。
【００２３】
一方、図1に示すようにインスツルメントハンガ1には作動媒体供給設定手段6が設けられ、更にこの作動媒体供給設定手段6を認識するために図3に示すような治療器具3の種類に対応して選択手段10のつまみ11を回転して切り替える識別手段9からなるダイヤル方式の非接触型センサが設けられ、この識別手段9を読み取る読取手段8がインスツルメントハンガ1側に設けられている。
【００２４】
この作動媒体供給設定手段6を認識する識別手段9は、図4に示すように治療器具3の種類に対応した識別手段9を設けた非接触型センサの施錠型（キータイプ）作動媒体供給設定手段６を各種治療器具3ごとに用意し、これを治療装置本体部７側に差し込むだけで治療装置本体部7側に設けられた読取手段8にて治療器具の種類を読み取り、作動媒体供給を設定することができるものである。また図5に示すように選択手段10のつまみ11を回転して切り替えるダイヤル方式のシリンダ型接触型センサでもよい。更に治療器具3の種類に対応した識別手段9を設けた非接触型センサの施錠型（キータイプ）作動媒体供給設定手段６を図示しないカード型にしてもよい。なおカード型は、カードに治療器具の種類が書き込まれており、これを治療装置本体7側に差し込むだけで治療装置本体7側に設けられた読取手段にて治療器具の種類を読み取ることができる公知の技術である。
【００２５】
なお、図4の前記作動媒体供給設定手段6の識別手段9は光反射型センサからなる例であり、1乃至複数の貫通穴または凹部にて形成された識別手段9を有している。なおこの貫通穴や凹部の位置や数は治療器具の種類による固有のものである。この光反射型センサは、治療装置本体部7側に設けられた読取手段8である光反射検知装置から照射される光が凹部では反射され、貫通穴では光が通過して反射しないことから受光部側が感知する反射光の位置や数にて治療器具3の種類を識別することができる公知の技術である。
【００２６】
一方、光透過型センサの場合は、識別手段9に1乃至複数の貫通穴または凹部が形成されており、この貫通穴や凹部は治療器具3の種類により位置や数が異なる固有のものである。この光透過型センサは、治療装置本体部7側に設けられた読取手段8である光透過検知装置から照射された光が凹部で遮断され、貫通穴では光が通過して反射しないことにより受光部側が感知する透過光の位置や数にて治療器具の種類を識別することができる公知の技術である。
【００２７】
また、上記識別方式としては、図5と同様に選択手段10のつまみ11を回転させることにより識別手段の凹凸を図示しないマイクロスイッチによる信号読取で各種治療器具に必要な作動媒体を識別させることでも可能である。
【００２８】
なお、上記作動媒体供給設定手段6は治療装置本体部7と一体的に構成してもよく、作動媒体供給設定手段6を読み取る読取手段8は図6に示すように治療装置本体部7であるインスツルメントハンガ1の前面に設けてもよく、また図１に示すようにインスツルメントハンガ1の近傍に設けてもよい。更に図7に示すように治療装置本体部であるドクターテーブル12の前面に設けてもよく、図8に示すようにドクターテーブル12の近傍の例として側面に設けてもよい。
【００２９】
前記光反射型センサは、これに替えて作動媒体供給設定手段6側にマグネットを設け、読取手段9側にホール素子を用いた磁気センサで識別することもできる。またレーザスキャンやカメラスキャンなどのバーコードリーダを用いて接続端子にバーコード識別手段を設けることで識別してもよい。このバーコード識別手段は図2に示す治療器具3とジョイントホース4とを接続する接続端子5の円周に非接触型の識別手段9の例として効果的に用いることができる。
【００３０】
以上の構成により、本発明の歯科治療装置は、従来例のように治療器具の配置位置や作動媒体の選択および供給等の環境設定を液晶画面上のパネルスイッチにて操作する必要がないので作業が容易である。
【００３１】
次に、図9に示す作動媒体の供給回路図を用いて、作動媒体供給設定手段6Aから6Eにて各種治療器具21から25を治療装置本体部7側に配置された任意の位置を設定し、かつ治療装置本体部7に接続された治療器具21から25の種類に対応して必要な作動媒体のみを作動媒体供給設定手段6にて供給する回路の具体例を説明する。なお説明の都合上、治療装置にはシリンジ1本、エアタービンハンドピース2本、マイクロモータハンドピース1本、超音波スケーラ1本がジョイントホース4を介して治療装置本体部7に接続されているものとする。
【００３２】
例１：  治療装置本体部7に対してシリンジ21を装着する場合
「キータイプ（図4）の作動媒体供給設定手段6Aを用いた場合」
この場合、一例として治療装置本体部7のインスツルメントハンガ1には各種治療器具21〜25がチェア側（図1の左側）からA, B, C, D, Eの位置に配置されているものとする。この状態でインスツルメントハンガ1の配置位置Aに対応する読取手段8Aにシリンジの作動に必要な作動媒体供給設定手段6A（図4のキータイプの場合）を挿入することにより、「配置位置A」の場所にシリンジ21が配置設定され、これによりシリンジ21を作動させるために必要な作動媒体供給設定回路26（チップエア供給回路ON、水供給回路ON、加温用作動電力供給回路ON、オプチカランプ（照明）用作動電力供給回路ON）が設定され、シリンジ21を作動させるために必要な作動媒体が供給される。なお、他の各種治療器具22〜25も同様に、各種治療器具22〜25に対応した作動媒体供給設定手段6B〜6Eを挿入することにより容易に各種治療器22〜25の配置設定および必要な作動媒体を選択して供給することができる。
【００３３】
例２：  治療装置本体部に対してシリンジ21を装着した場合
「ダイヤル式（図3、図5）の作動媒体供給設定手段6Aを用いた場合」
この場合、一例として治療装置本体部7のインスツルメントハンガ1には各種治療器具21〜25がチェア側（図1の左側）からA, B, C, D, Eの位置に配置されているものとし、インスツルメントハンガ1のインスツルメント保持部2それぞれの前面に対応した各種治療器具21〜25の作動媒体を識別するための作動媒体供給設定手段6A〜6Eが既に読取手段8A〜8Eそれぞれに一体的に設置されている。この状態で配置位置Aにシリンジ21を装着し、配置位置Aにある作動媒体供給設定手段6Aの選択手段10（図3、図5）のつまみ11を回転する。これにより、配置位置Aの場所にシリンジ21が配置設定され、シリンジ21を作動させるために必要な作動媒体供給回路26（チップエア供給回路ON、水供給回路ON、加温用作動電力供給回路ON、オプチカランプ（照明）用作動電力供給回路ON）が設定され、シリンジ21を作動させるために必要な作動媒体が供給される。なお、他の各種治療器具22〜25も同様に、各種治療器具22〜25に対応した作動媒体供給設定手段6B〜6Eの選択手段10のつまみ11を回転することにより容易に各種治療器22〜25の配置設定および必要な作動媒体を選択して供給することができる。
【００３４】
例３：  治療装置本体部に対してシリンジ21を装着する場合
「治療器具3とジョイントホース4との接続端子5に作動媒体供給設定手段6Aを設けた場合」
この場合、一例として治療装置本体部7のインスツルメントハンガ1には各種治療器具21〜25がチェア側（図1の左側）からA, B, C, D, Eの位置に配置されているものとする。この状態で図2に示す治療器具3とジョイントホース4との接続部分である接続端子5の円周上に光反射型センサに対応した識別手段9を設けた作動媒体供給設定手段6A〜6Eそれぞれを各種治療器具ごとに準備する。
【００３５】
更に治療器具3の接続端子5を保持するインスツルメント保持部2に読取手段8A〜8Bそれぞれを設ける。これにて配置位置Aに対する読取手段8Aが設置されたインスツルメント保持部2にシリンジ21（治療器具3）を保持させることにより、シリンジ21（治療器具3）の円周上に設けられた識別手段9を読取手段8Aが読み取り、「配置位置A」の場所にシリンジ21が配置設定され、更にシリンジ21を作動させるために必要な作動媒体供給回路26（チップエア供給回路ON、水供給回路ON、加温用作動電力供給回路ON、オプチカランプ（照明）用作動電力供給回路ON）が設定され、シリンジ21を作動させるために必要な作動媒体が供給される。なお他の治療器具21〜25も同様に、識別手段9を設けた各種治療器具21〜25を用いることで、各種治療器具21〜25に対応した各種治療器具21〜25の配置設定および必要な作動媒体のみを供給することができる。
【００３６】
応用例：  治療器具のメンテナンスへの応用
本例は治療器具３とジョイントホース4との接続部分である接続端子5の円周上に光反射型センサに対応した識別手段9を設けた作動媒体供給設定手段6を用い、識別手段9に治療器具3の使用回数を認識させることでメンテナンスの時期を術者に知らせることが可能である。
【００３７】
以上により本実施例の歯科治療装置は、従来の治療装置のように治療器具の種類を自動認識する構成ではないので、電気回路の電気的接点不良による誤動作がなくなり、またジョイントホースは治療器具の種類に対応した必要最小限の作動媒体のみを供給する供給回路を内蔵しているので簡素な構成にて小型かつ軽量で使いやすく、廉価に提供することができる。これによりジョイントホースの使い捨ても可能になる。
【００３８】
更に、従来の歯科治療装置では治療装置本体の上面を覆っていた治療装置本体部カバーを開けて治療器具の設定を行っていたが、本発明では本体部カバーを開けることなく、作動媒体供給設定手段を読取手段にて識別することができるので作動媒体供給設定手段に対応して治療器具の設定を行うことができ、誤接続がなくなる。また作動媒体供給設定手段を入れ替えるだけで治療器具を都合のよい位置に自由に選択設定することができるので、治療器具を術者の治療しやすい位置に配置することができ術者の負担が軽減される。また従来、液晶画面上のパネルスイッチを操作して各種治療器具の設定をしていた煩わしさが軽減されるという効果を奏することができる。
【符号の説明】
【００３９】
1  インスツルメントハンガ
2  インスツルメント保持部
3  治療器具
4  ジョイントホース
5  接続端子
6  作動媒体供給設定手段
7  治療装置本体部
8  読取手段
9  識別手段
10  選択手段
11  つまみ
12 ドクターテーブル
20  作動媒体供給制御部
21  シリンジ
22、24  タービン
23  マイクロモータ
25  スケーラ
26 作動媒体供給設定回路
【図１】
2011161027.tif 000003
【図２】
2011161027.tif 000004
【図３】
2011161027.tif 000005
【図４】
2011161027.tif 000006
【図５】
2011161027.tif 000007
【図６】
2011161027.tif 000008
【図７】
2011161027.tif 000009
【図８】
2011161027.tif 000010
【図９】
2011161027.tif 000011